(57)【要約】【課題】  本発明は、複数の食器を一括で洗浄する場合における、各食器に対する洗浄効果を一段と向上させることができる食器洗浄装置を提供することを目的とする。【解決手段】  洗浄槽２０と、収容容器３０と、隙間４０と、吐出管６０と、気泡発生ノズル８０と、吐出口８０Ａと、吸入管７０と、吸入口７０Ａと、給水ポンプ５０とを備える。【選択図】  図１
2019042245.tif 000002
【特許請求の範囲】
【請求項１】
底面板の外周縁に複数の側面板をそれぞれ立設することにより形成され、食器を洗浄するための洗浄液を貯留する洗浄槽と、
前記底面板上に配置され、洗浄対象の食器を収容するための収容容器であって、上面を開口するようにして断面が凹型形状に形成され、かつ全体が網目状に形成された容器本体の下側角部付近に、脚部をそれぞれ接続することにより、前記底面板の面積及び前記側面板の高さよりそれぞれ小さくなるように形成された前記収容容器と、
前記底面板と前記容器本体との間に形成され、前記脚部の高さに対応する高さを有する隙間と、
前記洗浄槽内に洗浄液を吐出するための吐出管と、
前記吐出管の一端に接続され、気泡を発生及び噴出するための気泡発生ノズルと、
前記気泡発生ノズルの先端に開口するように設けられた吐出口と、
前記洗浄槽内から洗浄液を吸入するための吸入管と、
前記吸入管の一端に開口するように設けられた網目状の吸入口と、
前記吐出管及び前記吸入管の他端にそれぞれ接続されると共に、前記洗浄槽の外部に設けられ、前記吸入管から供給された洗浄液を前記吐出管に送出することにより、前記洗浄槽内において洗浄液を循環させるための給水ポンプと
を備え、
前記気泡発生ノズルを前記底面板上に載置するようにして、前記吐出管を配置すると共に、前記気泡発生ノズルの吐出方向を、前記底面板と平行な方向であって、かつ前記隙間に向かう方向に設定し、
前記気泡発生ノズルを基準として、前記収容容器が配置される側と反対側に、前記吸入口を位置させるようにして、前記吸入管を配置すると共に、前記吸入口の吸入方向を、前記底面板と直交する方向であって、かつ上方向に設定する
ことを特徴とする食器洗浄装置。
【発明の詳細な説明】
【技術分野】
【０００１】
本発明は、食器洗浄装置に関する。
【背景技術】
【０００２】
従来、複数の食器を一括で洗浄するための装置として、種々の食器洗浄装置が開発及び提案されている（例えば、特許文献１参照）。
【先行技術文献】
【特許文献】
【０００３】
【特許文献１】登録実用新案第３０６０４３１号公報
【発明の概要】
【発明が解決しようとする課題】
【０００４】
本発明は、複数の食器を一括で洗浄する場合における、各食器に対する洗浄効果を一段と向上させることができる食器洗浄装置を提供することを目的とする。
【課題を解決するための手段】
【０００５】
本発明の一態様による食器洗浄装置は、
底面板の外周縁に複数の側面板をそれぞれ立設することにより形成され、食器を洗浄するための洗浄液を貯留する洗浄槽と、
前記底面板上に配置され、洗浄対象の食器を収容するための収容容器であって、上面を開口するようにして断面が凹型形状に形成され、かつ全体が網目状に形成された容器本体の下側角部付近に、脚部をそれぞれ接続することにより、前記底面板の面積及び前記側面板の高さよりそれぞれ小さくなるように形成された前記収容容器と、
前記底面板と前記容器本体との間に形成され、前記脚部の高さに対応する高さを有する隙間と、
前記洗浄槽内に洗浄液を吐出するための吐出管と、
前記吐出管の一端に接続され、気泡を発生及び噴出するための気泡発生ノズルと、
前記気泡発生ノズルの先端に開口するように設けられた吐出口と、
前記洗浄槽内から洗浄液を吸入するための吸入管と、
前記吸入管の一端に開口するように設けられた網目状の吸入口と、
前記吐出管及び前記吸入管の他端にそれぞれ接続されると共に、前記洗浄槽の外部に設けられ、前記吸入管から供給された洗浄液を前記吐出管に送出することにより、前記洗浄槽内において洗浄液を循環させるための給水ポンプと
を備え、
前記気泡発生ノズルを前記底面板上に載置するようにして、前記吐出管を配置すると共に、前記気泡発生ノズルの吐出方向を、前記底面板と平行な方向であって、かつ前記隙間に向かう方向に設定し、
前記気泡発生ノズルを基準として、前記収容容器が配置される側と反対側に、前記吸入口を位置させるようにして、前記吸入管を配置すると共に、前記吸入口の吸入方向を、前記底面板と直交する方向であって、かつ上方向に設定する
ことを特徴とする。
【発明の効果】
【０００６】
本発明の食器洗浄装置によれば、複数の食器を一括で洗浄する場合における、各食器に対する洗浄効果を一段と向上させることができる。
【図面の簡単な説明】
【０００７】
【図１】本発明の実施の形態による食器洗浄装置の構成を示す分解斜視図である。
【発明を実施するための形態】
【０００８】
以下、本発明の実施の形態について図面を参照して説明する。
【０００９】
図１は、本発明の実施の形態による食器洗浄装置１０の構成を示す。食器洗浄装置１０は、食器を洗浄するための洗浄液を貯留する洗浄槽２０を有する。この洗浄槽２０は、板状の底面板２０Ｂの外周縁に、側面板２０ＳＡ〜２０ＳＤをそれぞれ立設することにより形成されている。すなわち、洗浄槽２０は、上面を開口させるようにして、断面が凹型形状に形成された箱体によって構成されている。
【００１０】
洗浄槽２０の底面板２０Ｂ上には、洗浄対象の食器を収容するための収容容器３０が配置されている。この収容容器３０は、上面を開口させるようにして断面が凹型形状に形成され、かつ全体が網目状（すなわち格子状）に形成された容器本体３０Ｂの下側角部付近に、４つの脚部３０Ｆをそれぞれ接続することにより、洗浄槽２０の底面積及び高さ（すなわち体積）より小さくなるように形成されている。
【００１１】
これにより、洗浄槽２０の底面板２０Ｂと、容器本体３０Ｂとの間には、脚部３０Ｆの高さに対応する隙間４０が形成されている。
【００１２】
ところで、洗浄槽２０の外部には、洗浄槽２０内において洗浄液を循環させるための給水ポンプ５０が設けられている。この給水ポンプ５０には、洗浄槽２０内に洗浄液を吐出するための吐出管６０と、洗浄槽２０内から洗浄液を吸入するため吸入管７０とがそれぞれ接続されている。
【００１３】
より具体的には、吐出管６０の一端には、気泡を発生及び噴出させるための気泡発生ノズル８０が接続され、当該気泡発生ノズル８０の先端には、吐出口８０Ａが開口するように設けられている。一方、吐出管６０の他端には、給水ポンプ５０が接続されている。
【００１４】
これにより、気泡発生ノズル８０の吐出口８０Ａから、洗浄液が吐出される際には、気泡も同様に噴出される。すなわち、気泡を含む洗浄液が、気泡発生ノズル８０の吐出口７０Ａから吐出される。
【００１５】
本実施の形態の場合、気泡発生ノズル８０を底面板２０Ｂ上に載置するようにして、吐出管６０を配置すると共に、気泡発生ノズル８０の吐出方向を、底面板２０Ｂと平行な方向であって、かつ隙間４０の方向に向ける。これにより、気泡を含む洗浄液は、気泡発生ノズル８０の吐出口８０Ａから、隙間４０の方向に向けて、横方向に吐出される。
【００１６】
一方、吸入管７０の一端には、網目状（すなわち格子状）に形成された吸入口７０Ａが開口するように設けられている。これにより、ゴミが吸入管７０内に吸入されることを防止しながら、洗浄液が吸入口７０Ａ内に吸入される。一方、吸入管７０の他端には、給水ポンプ５０が接続されている。
【００１７】
本実施の形態の場合、底面板２０Ｂの近傍であって、かつ気泡発生ノズル８０を基準として、収容容器３０が配置される側と反対側に、吸入口７０Ａを位置させるようにして、吸入管７０を配置すると共に、吸入口７０Ａの吸入方向を、底面板２０Ｂと直交する方向に向ける。これにより、洗浄液は、吸入口７０Ａを介して吸入管７０内に縦方向に吸入される。
【００１８】
ここで、洗浄槽２０内に洗浄液を貯留した状態において、給水ポンプ５０から吐出管６０を介して洗浄液が供給されると、気泡を含む洗浄液が、気泡発生ノズル８０の吐出口８０Ａから隙間４０に向けて、横方向に吐出される。これと共に、洗浄液は、吸入口７０Ａから吸入管７０内に吸入され、給水ポンプ５０に送出される。かかる処理を順次繰り返すことにより、洗浄液は洗浄槽２０内を循環する。
【００１９】
これにより、洗浄槽２０内の全体に、気泡を一様に分散させることができる。従って収納容器３０に収納される各食器に一様に気泡を接触させることができ、従って洗浄効果を向上させることができる。
【００２０】
このように本実施の形態による食器洗浄装置によれば、複数の食器を一括で洗浄する場合における、各食器に対する洗浄効果を一段と向上させることができる。
【００２１】
すなわち、本実施の形態の食器洗浄装置１０は、底面板２０Ｂの外周縁に複数の側面板２０ＳＡ〜２０ＳＤをそれぞれ立設することにより形成され、食器を洗浄するための洗浄液を貯留する洗浄槽２０と、底面板２０Ｂ上に配置され、洗浄対象の食器を収容するための収容容器３０であって、上面を開口するようにして断面が凹型形状に形成され、かつ全体が網目状に形成された容器本体３０Ｂの下側角部付近に、脚部３０Ｆをそれぞれ接続することにより、底面板２０Ｂの面積及び側面板２０ＳＡ〜２０ＳＤの高さよりそれぞれ小さくなるように形成された収容容器３０と、底面板２０Ｂと容器本体３０Ｂとの間に形成され、脚部３０Ｆの高さに対応する高さを有する隙間４０と、洗浄槽２０内に洗浄液を吐出するための吐出管６０と、吐出管６０の一端に接続され、気泡を発生及び噴出するための気泡発生ノズル８０と、気泡発生ノズル８０の先端に開口するように設けられた吐出口８０Ａと、洗浄槽２０内から洗浄液を吸入するための吸入管７０と、吸入管７０の一端に開口するように設けられた網目状の吸入口７０Ａと、吐出管６０及び吸入管７０の他端にそれぞれ接続されると共に、洗浄槽２０の外部に設けられ、吸入管７０から供給された洗浄液を吐出管６０に送出することにより、洗浄槽２０内において洗浄液を循環させるための給水ポンプ５０とを備え、気泡発生ノズル８０を底面板２０Ｂ上に載置するようにして、吐出管６０を配置すると共に、気泡発生ノズル８０の吐出方向を、底面板２０Ｂと平行な方向であって、かつ隙間４０に向かう方向に設定し、気泡発生ノズル８０を基準として、収容容器３０が配置される側と反対側に、吸入口７０Ａを位置させるようにして、吸入管７０を配置すると共に、吸入口７０Ａの吸入方向を、底面板２０Ｂと直交する方向であって、かつ上方向に設定することを特徴とする。
【符号の説明】
【００２２】
１０  食器洗浄装置
２０  洗浄槽
３０  収容容器
４０  隙間
５０  給水ポンプ
６０  吐出管
７０  吸入管
８０  気泡発生ノズル
【図１】
2019042245.tif 000003